(57)【特許請求の範囲】
【請求項１】
メディアデータを提供するためのメディア提供手段と、
前記メディア提供手段が提供した前記メディアデータを受け取って、前記メディアデータの再生シーンに対応する複数の動画シーン時間情報を提供して出力するためのメタデータサーバ手段と、
前記メディア提供手段が提供した前記メディアデータと前記メタデータサーバ手段が提供した前記複数の動画シーン時間情報を取得するとともに、前記メディアデータを再生するときに前記メディアデータ再生に対応するピックアップ時間情報を入力して、取得した前記複数の動画シーン時間情報中から、記録した再生時間が前記ピックアップ時間情報に一致する少なくとも一つの第１の目標シーン時間を出力するための第１の端末装置と、
各々の前記第１の目標シーン時間、前記メディアデータおよび前記複数の動画シーン時間情報を取得するとともに、各々の前記第１の目標シーン時間と前記複数の動画シーン時間情報とを比較して、比較結果に基づいて前記メディアデータから複数のピンポイントシーンのクリップを取り出して、メディアセグメントデータを形成するための動画シーンサーバ手段と、を備えることを特徴とする、
動画シーンのクリップ構成システム。
【請求項２】
各々の前記動画シーン時間情報がその対応する前記ピンポイントシーンのクリップの再生時間を記憶しており、前記ピックアップ時間情報はメディア記録開始時間とメディア記録終了時間とを含み、前記第１の端末装置が前記ピックアップ時間情報と各々の前記動画シーン時間情報とを比較するとき、再生時間を前記メディア記録開始時間と前記メディア記録終了時間との間として記録した各々の前記第１の目標シーン時間を取得して、各々の前記第１の目標シーン時間を前記動画シーンサーバ手段に伝送することを特徴とする請求項１に記載の動画シーンのクリップ構成システム。
【請求項３】
各々の前記動画シーン時間情報がその対応する前記ピンポイントシーンのクリップの再生内容を記憶しており、前記動画シーンサーバ手段は各々の前記動画シーン時間情報の記録情報に基づいて、各々の前記動画シーン時間情報を分類するとともに、分類結果に基づいて前記メディアデータから複数の動画シーンクリップデータを分割し、前記ピックアップ時間情報は時点データを含んでおり、前記第１の端末装置は前記時点データを記録した前記少なくとも一つの第１の目標シーン時間を出力し、前記動画シーンサーバ手段は前記時点データと各々の前記動画シーンクリップデータの再生終了時間とを比較して、少なくとも一つの目標シーンクリップデータを取り出すことで、前記メディアセグメントデータを形成することを特徴とする請求項１に記載の動画シーンのクリップ構成システム。
【請求項４】
少なくとも一つの第２の目標シーン時間を作成するための第２の端末装置をさらに備えており、前記動画シーンサーバ手段が前記少なくとも一つの第２の目標シーン時間を取得するとともに、前記少なくとも一つの第１の目標シーン時間および前記少なくとも一つの第２の目標シーン時間が記録するメディア再生内容が同一または同義であり、メディア再生時間が相違すると判断した場合、前記少なくとも一つの第１の目標シーン時間および前記少なくとも一つの第２の目標シーン時間が記録するメディア再生時間に基づいて再生補正時間を設定して、前記メディアデータ中から再生時間が前記再生補正時間内にある複数の調整クリップをピックアップして、前記メディアセグメントデータを更新することを特徴とする請求項１に記載の動画シーンのクリップ構成システム。
【請求項５】
前記再生補正時間は前記少なくとも一つの第１の目標シーン時間および前記少なくとも一つの第２の目標シーン時間が記録するメディア再生時間の長さの和集合であることを特徴とする請求項４に記載の動画シーンのクリップ構成システム。
【請求項６】
前記再生補正時間は前記少なくとも一つの第１の目標シーン時間および前記少なくとも一つの第２の目標シーン時間が記録するメディア再生時間の長さの積集合であることを特徴とする請求項４に記載の動画シーンのクリップ構成システム。
【請求項７】
前記再生補正時間の開始時間が前記少なくとも一つの第１の目標シーン時間および前記少なくとも一つの第２の目標シーン時間が記録するメディア再生時間の開始時間の平均値となり、前記再生補正時間の終了時間が前記少なくとも一つの第１の目標シーン時間および前記少なくとも一つの第２の目標シーン時間が記録するメディア再生時間の終了時間の平均値となることを特徴とする請求項４に記載の動画シーンのクリップ構成システム。
【請求項８】
各々の前記動画シーン時間情報がその対応する前記ピンポイントシーンのクリップの再生内容を記憶しており、前記動画シーンサーバ手段は各々の前記ピンポイントシーンのクリップの再生内容に基づいて、各々の前記動画シーン時間情報を分類するとともに、この分類結果に基づいて前記メディアデータから複数の動画シーンクリップデータを分割するとともに、各々の前記動画シーン時間情報のデータの依存関係性、データ属性およびデータ階層の関係に基づいて、各々の前記動画シーンクリップデータをメディア再生ツリー構造として構成することを特徴とする請求項１に記載の動画シーンのクリップ構成システム。
【請求項９】
前記動画シーンサーバ手段が前記少なくとも一つの第１の目標シーン時間を取得したとき、前記少なくとも一つの第１の目標シーン時間に基づいて前記メディア再生ツリー構造から前記複数のピンポイントシーンのクリップを取り出して、前記メディアセグメントデータを形成することを特徴とする請求項８に記載の動画シーンのクリップ構成システム。
【請求項１０】
メディア提供手段がメディアデータを提供するステップと、
メタデータサーバ手段が前記メディアデータを受け取るとともに、前記メディアデータの再生シーンに対応する複数の動画シーン時間情報を提供するステップと、
第１の端末装置が前記メディアデータと前記複数の動画シーン時間情報とを取得するとともに、前記メディアデータを再生するときに入力したピックアップ時間情報に基づいて、前記複数の動画シーン時間情報中から前記ピックアップ時間情報に対応する少なくとも一つの第１の目標シーン時間を取り出すステップと、
動画シーンサーバ手段が前記少なくとも一つの第１の目標シーン時間、前記メディア提供手段が提供する前記メディアデータおよび前記メタデータサーバ手段が提供する前記複数の動画シーン時間情報を取得するとともに、前記少なくとも一つの第１の目標シーン時間と各々の前記動画シーン時間情報とを比較して、比較結果に基づいて前記メディアデータから複数のピンポイントシーンのクリップデータを取り出して、メディアセグメントデータを形成するステップと、を含むことを特徴とする、
動画シーンのクリップ構成方法。
【請求項１１】
各々の前記動画シーン時間情報がその対応する前記ピンポイントシーンのクリップの再生時間を記憶しており、前記再生時間はメディア記録開始時間とメディア記録終了時間とを含み、そして前記複数の動画シーン時間情報中から前記ピックアップ時間情報に対応する前記少なくとも一つの第１の目標シーン時間を取り出す前記ステップが、前記第１の端末装置が前記ピックアップ時間情報と各々の前記動画シーン時間情報とを比較し、再生時間を前記メディア記録開始時間と前記メディア記録終了時間との間として記録した前記少なくとも一つの第１の目標シーン時間を取得することを含むことを特徴とする請求項１０に記載の動画シーンのクリップ構成方法。
【請求項１２】
各々の前記動画シーン時間情報がその対応する前記ピンポイントシーンのクリップの再生内容を記憶しており、前記動画シーンサーバ手段は各々の前記動画シーン時間情報の記録情報に基づいて、各々の前記動画シーン時間情報を分類するとともに、分類結果に基づいて前記メディアデータから複数の動画シーンクリップデータを分割し、前記ピックアップ時間情報は時点データを含んでおり、前記第１の端末装置は前記時点データを記録した前記少なくとも一つの第１の目標シーン時間を前記動画シーンサーバ手段に出力し、前記少なくとも一つの第１の目標シーン時間と各々の前記動画シーン時間情報とを比較して、比較結果に基づいて前記メディアデータから複数のピンポイントシーンのクリップデータを取り出して、メディアセグメントデータを形成する前記ステップが、前記動画シーンサーバ手段が前記時点データと各々の前記動画シーンクリップデータの再生終了時間とを比較して、目標シーンクリップデータを取り出すことで、前記メディアセグメントデータを形成することを含むことを特徴とする請求項１０に記載の動画シーンのクリップ構成方法。
【請求項１３】
少なくとも一つの第２の目標シーン時間を作成するための第２の端末装置をさらに備えており、前記方法は、前記動画シーンサーバ手段が前記少なくとも一つの第２の目標シーン時間を取得するとともに、前記少なくとも一つの第１の目標シーン時間および前記少なくとも一つの第２の目標シーン時間が記録するメディア再生内容が同一または同義であり、メディア再生時間が相違すると判断した場合に、前記動画シーンサーバ手段が判断結果に基づいて、前記少なくとも一つの第１の目標シーン時間および前記少なくとも一つの第２の目標シーン時間が記録するメディア再生時間を利用して再生補正時間を設定するかどうかを決定して、前記メディアデータ中から再生時間が前記再生補正時間内にある複数の調整クリップをピックアップして、前記メディアセグメントデータを更新することをさらに含むことを特徴とする請求項１０に記載の動画シーンのクリップ構成方法。
【請求項１４】
前記再生補正時間は前記少なくとも一つの第１の目標シーン時間および前記少なくとも一つの第２の目標シーン時間が記録するメディア再生時間の長さの和集合であることを特徴とする請求項１３に記載の動画シーンのクリップ構成方法。
【請求項１５】
前記再生補正時間は前記少なくとも一つの第１の目標シーン時間および前記少なくとも一つの第２の目標シーン時間が記録するメディア再生時間の長さの積集合であることを特徴とする請求項１３に記載の動画シーンのクリップ構成方法。
【請求項１６】
前記再生補正時間の開始時間が前記少なくとも一つの第１の目標シーン時間および前記少なくとも一つの第２の目標シーン時間が記録するメディア再生時間の開始時間の平均値となり、前記再生補正時間の終了時間が前記少なくとも一つの第１の目標シーン時間および前記少なくとも一つの第２の目標シーン時間が記録するメディア再生時間の終了時間の平均値となることを特徴とする請求項１３に記載の動画シーンのクリップ構成方法。
【請求項１７】
電子装置で読み取り可能なソースコードを記憶し、電子装置が前記ソースコードを読み取るときには、当該電子装置がメディア提供手段、メタデータサーバ手段、第１の端末装置、動画シーンサーバ手段として機能して、動画シーンのクリップ構成方法を実行する記録メディアであって、前記方法は、
メディア提供手段がメディアデータを提供するステップと、
メタデータサーバ手段が前記メディアデータを受け取るとともに、前記メディアデータの再生シーンに対応する複数の動画シーン時間情報を提供するステップと、
第１の端末装置が前記メディアデータと前記複数の動画シーン時間情報とを取得するとともに、前記メディアデータを再生するときに入力したピックアップ時間情報に基づいて、前記複数の動画シーン時間情報中から前記ピックアップ時間情報に対応する少なくとも一つの第１の目標シーン時間を取り出すステップと、
動画シーンサーバ手段が前記少なくとも一つの第１の目標シーン時間、前記メディア提供手段が提供する前記メディアデータおよび前記メタデータサーバ手段が提供する前記複数の動画シーン時間情報を取得するとともに、前記少なくとも一つの第１の目標シーン時間と各々の前記動画シーン時間情報とを比較して、比較結果に基づいて前記メディアデータから複数のピンポイントシーンのクリップデータを取り出して、メディアセグメントデータを形成するステップと、を含むことを特徴とする、
記録メディア。
【請求項１８】
電子装置が前記ソースコードを読み取るときには、当該電子装置はさらに、少なくとも一つの第２の目標シーン時間を作成するための第２の端末装置として機能し、前記方法は、前記動画シーンサーバ手段が前記少なくとも一つの第２の目標シーン時間を取得するとともに、前記少なくとも一つの第１の目標シーン時間および前記少なくとも一つの第２の目標シーン時間が記録するメディア再生内容が同一または同義であり、メディア再生時間が相違すると判断した場合に、前記動画シーンサーバ手段が判断結果に基づいて、前記少なくとも一つの第１の目標シーン時間および前記少なくとも一つの第２の目標シーン時間が記録するメディア再生時間を利用して再生補正時間を設定するかどうかを決定することで、前記メディアデータ中から再生時間が前記再生補正時間内にある複数の調整クリップをピックアップして、前記メディアセグメントデータを更新することをさらに含むことを特徴とする請求項１７に記載の記録メディア。
【発明の詳細な説明】
【技術分野】
【０００１】
本発明は動画シーンのクリップ構成システム、方法および記録メディアに関し、特に動画シーンの時間情報により所望の動画シーンのクリップを取得する動画シーンのクリップ構成システム、方法および記録メディアに関する。
【背景技術】
【０００２】
従来技術において、使用者は端末装置によりネットワークまたはメディア供給装置から任意のメディアデータを取得するとともに再生することができる。しかしながら、ウェブサイトにおいては一般的にはある見所シーンの再生時間の説明については、単に文字の説明のみで、このメディアデータにおけるこの見所シーンの再生時点が分かるようにしているに過ぎない。
【０００３】
しかしながら、メディアデータの多くが採用しているのは直線的な再生方式である。動画再生ソフトウェアは再生メディアデータに対応する時間軸を提供している。使用者は見所シーンの再生時点が分かったとき、メディアデータの時間軸の位置をクリックするか、または時間軸上のスライダをドラッグするだけで、見所シーンの再生時間を取得して鑑賞するよう試みることができる。
【発明の概要】
【発明が解決しようとする課題】
【０００４】
しかし、もしメディアデータの再生内容および再生時点が不明な場合、使用者は多くの時間を費やして所望の動画シーンを探し出さなければならない。
次に、スライダをドラッグする精度が時間軸の長さを決めるため、もし時間軸が短すぎると、使用者がスライダを所望のポイントにまでドラッグするのが難しくなり、反対に使用者の操作上での手間が増えてしまう。
さらに、使用者が視聴したいメディアデータをクリップとして共有したい場合には、メディアのピックアッププログラムまたはソフトウェアでメディアを切り取らなければならないが、ソフトウェアの取得および使用はいずれも使用者にとってはある程度の手間がかかってしまう。
【０００５】
したがって、メディアデータの共有の精度を如何に高め、かつメディアデータの共有の複雑度を如何に簡素化するかということは、製造業者が思考を巡らせる課題となっている。
【課題を解決するための手段】
【０００６】
上記課題を解決するために、本発明では、動画シーン時間情報をメディアセグメントデータの選択根拠とする動画シーンのクリップ構成システム、方法およびその記録メディアを開示している。
【０００７】
本発明にて開示する動画シーンのクリップ構成システムは、メディア提供手段と、メタデータサーバ手段と、動画シーンサーバ手段と、第１の端末装置とを備えている。
【０００８】
このメディア提供手段はメディアデータを提供するためのものである。メタデータサーバ手段はメディアデータを受け取って、メディアデータの再生シーンに対応する複数の動画シーン時間情報を提供するためのものである。
第１の端末装置は、メディア提供手段が提供したメディアデータとメタデータサーバ手段が提供した動画シーン時間情報を取得するとともに、メディアデータを再生するときにメディアデータ再生に対応するピックアップ時間情報を入力して、取得した動画シーン時間情報中から、ピックアップ時間情報に一致する少なくとも一つの第１の目標シーン時間を取り出すとともに、動画シーンサーバ手段に出力するためのものである。
動画シーンサーバ手段は第１の目標シーン時間、メディアデータおよびその対応する動画シーン時間情報を取得するとともに、各々の第１の目標シーン時間と取得したすべての動画シーン時間情報とを比較して、比較結果に基づいてメディアデータから複数のピンポイントシーンのクリップを取り出して、メディアセグメントデータを形成するためのものである。
【０００９】
本発明で開示する動画シーンのクリップ構成方法は、メディア提供手段がメディアデータを提供するステップと、メタデータサーバ手段がメディアデータを受け取るとともに、メディアデータの再生シーンに対応する複数の動画シーン時間情報を提供するステップと、第１の端末装置がメディアデータと動画シーン時間情報を取得するとともに、メディアデータを再生するときに入力したピックアップ時間情報に基づいて、すべての動画シーン時間情報中からピックアップ時間情報に対応する少なくとも一つの第１の目標シーン時間を取り出すステップと、動画シーンサーバ手段が第１の目標シーン時間、メディアデータおよび動画シーン時間情報を取得するとともに、第１の目標シーン時間と各々の動画シーン時間情報とを比較して、メディアデータから複数のピンポイントシーンのクリップデータを取り出して、メディアセグメントデータを形成するステップと、を含む。
【００１０】
また、本発明では、電子装置で読み取り可能なソースコードを記憶する記録メディアも開示している。電子装置がソースコードを読み取るときには、動画シーンのクリップ構成方法を実行する。この方法はすでに上記している。
【発明の効果】
【００１１】
本発明の特長は、その他の使用者の端末装置では動画シーンサーバ手段を通じるのみで使用者が共有したメディアセグメントデータを取得するものであり、メディア共有の明確性が向上するばかりでなく、その他の使用者は多くの時間を費やすことなくメディアデータから所望の動画シーンを探し出すことができる。
次に、その他の使用者はメディアデータの時間軸を操作する手間をかけずとも、使用者が共有したいメディアセグメントデータを直接取得することができ、動画操作の複雑さを簡素化して、その他使用者がスライダを所望のポイントにまでドラッグするのが難しくなることから、メディアセグメントデータを取得できないという操作上での面倒をなくすことができる。
さらに、使用者は特定のメディアのピックアッププログラムまたはソフトウェアを必要とせずとも、共有したいメディアセグメントを提供することができる。
【図面の簡単な説明】
【００１２】
【図１】本発明の実施例における動画シーンのクリップ構成システムの構成概略図。
【図２】本発明の実施例におけるメディアセグメントデータを更新するときのデータの流れを示す概略図。
【図３】本発明の実施例における動画シーンのクリップ構成方法の概略的なフローチャート。
【図４】本発明の実施例におけるメディア再生ツリー構造の構成の概略的なフローチャート。
【図５】本発明の実施例におけるメディアセグメントデータの更新方法の概略的なフローチャート。
【図６】本発明の実施例におけるメディア階層の概略図。
【図７】本発明の実施例におけるメディアセグメントデータの時点比較の概略図。
【図８】本発明の実施例におけるメディア再生ツリーの構造概略図。
【発明を実施するための形態】
【００１３】
図面を合わせて、本発明の好ましい実施例を以下の通り詳細に説明する。
【実施例】
【００１４】
本発明の実施例における動画シーンのクリップ構成システムの構成概略図を示す図１を参照する。
このシステムはメディア再生機能を備えた装置、設備またはシステムに応用することができ、配置の形態には制限はない。この動画シーンのクリップ構成システムは顧客側（Ｃｌｉｅｎｔ  Ｓｉｄｅ）とサーバ側（Ｓｅｒｖｅｒ  Ｓｉｄｅ）とを備えており、この両側の設備、装置はネットワーク（Ｎｅｔｗｏｒｋ）を介して接続されている。サーバ側はメディア提供手段１０（Ｍｅｄｉａ  Ｓｕｐｐｌｙ  Ｅｑｕｉｐｍｅｎｔ）と、メタデータサーバ手段２０（Ｍｅｔａｄａｔａ  Ｓｅｒｖｅｒ）と、動画シーンサーバ手段３０（Ｓｃｅｎｅ  Ｓｅｒｖｅｒ）とを備えている。
顧客側は一台以上の端末装置（Ｅｎｄ  Ｄｅｖｉｃｅ）を備えており、この装置は使用者の電子装置であって、例えばパーソナルコンピュータ（Ｐｅｒｓｏｎａｌ  Ｃｏｍｐｕｔｅｒ、ＰＣ）、ノート型パソコン（ＮｏｔｅＢｏｏｋ）、タブレット型パソコン（Ｔａｂｌｅｔ  ＰＣ）、多機能携帯電話機（Ｓｍａｒｔ  Ｐｈｏｎｅ）、セットトップボックス（Ｓｅｔ−Ｔｏｐ  Ｂｏｘ、ＳＴＢ）など使用者が操作するインターフェイスとネットワーク接続機能を備えた電子装置である。この例においては、第１の端末装置４０で説明を行う。
【００１５】
メディア提供手段１０はメディアデータ１１（Ｍｅｄｉａ  Ｄａｔａ）を提供するためのものである。このメディアデータ１１は全体的な画像、音声または画像・音声データとするか、またはリアルタイムに伝送されるストリームデータ（Ｓｔｒｅａｍ  Ｄａｔａ）とすることができる。
メディア提供手段１０はメタデータサーバ手段２０および動画シーンサーバ手段３０と同じ位置にある設備、または場所の異なるサードパーティ設備（Ｔｈｉｒｄ−Ｐａｒｔｙ  Ｅｑｕｉｐｍｅｎｔ）としてもよく、制限はない。
メディア提供手段１０がメディアデータ１１を出力する形態には、ブロードキャスト配信（Ｂｒｏａｄｃａｓｔ）、ブロードバンド配信（Ｂｒｏａｄｂａｎｄ）、有線配信（例えばＣｏｍｍｕｎｉｔｙ  Ａｎｔｅｎｎａ  Ｔｅｌｅｖｉｓｉｏｎ、Ｃａｂｌｅ  Ｔｅｌｅｖｉｓｉｏｎ、ＣＡＴＶ）、インターネットプロトコルテレビジョン（Ｉｎｔｅｒｎｅｔ  Ｐｒｏｔｏｃｏｌ  Ｔｅｌｅｖｉｓｉｏｎ、ＩＰＴＶ）など有線、無線のデータ伝送方式が含まれるものの、またこれに限定されるものではない。
【００１６】
このメディア提供手段１０はメディア供給機能を備えたハードウェア、またはソフトウェアおよびハードウェアと結合されたユニット、アセンブリ、装置、設備およびシステムなどの少なくとも一つ以上の形態の組み合わせを含む。メディアデータ１１は複数の動画シーン（Ｓｃｅｎｅ）からなる。
メディアデータ１１は内容の異なる複数の動画シーンを含み、例えばメディアデータ１１が画像データ（Ｉｍａｇｅ  Ｄａｔａ）である場合、画像データは目標、シーン、人物などの一種類以上の内容を有する画像フレーム（Ｉｍａｇｅ  Ｆｌａｍｅ）となる。また例えばメディアデータ１１が音声データ（Ｖｏｉｃｅ  Ｄａｔａ）である場合、音声データは高音、低音、談話音声、音楽音声などの一種類以上の内容を有する音声フレーム（Ｖｏｉｃｅ  Ｆｌａｍｅ）となる。
【００１７】
メタデータサーバ手段２０がこのメディアデータ１１を取得したとき、メディアデータ１１の再生内容に対応する動画シーン時間情報２１を提供する。動画シーン時間情報２１はメディアデータ１１、またはメディアデータ１１が含む動画シーンの再生時点、場合によっては再生内容に対して解説する解説データであり、これは例えば動画シーンの再生内容の要約、再生時間、タイトルなど動画シーンに対するさらに詳しい解説のデータである。
この例において、各々の動画シーン時間情報２１は動画シーンに対応する再生時間を記録したものである。そして動画シーン時間情報２１の提供方式は、（１）メタデータサーバ手段２０により直接メディアデータ１１の再生内容に基づいて動画シーン時間情報２１の構成を行う、（２）外部装置からこのメディアデータ１１の対応する動画シーン時間情報２１を取得する、というものである。
【００１８】
第１の端末装置４０は使用者がデータを入力するのに供されるデータ入力インターフェイスを備え、しかもメディアを再生する機能も備えている。ここで、第１の端末装置４０のインターフェイスの実現形態は設計者の需要に応じて決定するものであり、限定はない。
第１の端末装置４０がメディアデータ１１を再生するとき、第１の端末装置４０を用いてピックアップ時間情報４１を入力する。ピックアップ時間情報４１はメディアデータ１１の再生中セグメントに対応する時点または時間間隔を表している。
第１の端末装置４０はこのピックアップ時間情報４１に基づいて、すべての動画シーン時間情報２１中から少なくとも一つの第１の目標シーン時間４２を取り出すとともに、これを動画シーンサーバ手段３０に出力する。この（またはこれらの）第１の目標シーン時間４２が記録する再生時間はピックアップ時間情報４１に一致する。
【００１９】
動画シーンサーバ手段３０は第１の目標シーン時間４２、メディアデータ１１および動画シーン時間情報２１を取得するが、メディアデータ１１の取得元はメタデータサーバ手段２０またはメディア提供手段１０である。
動画シーンサーバ手段３０は第１の目標シーン時間４２と各々の動画シーン時間情報２１とを比較するとともに、比較結果に基づいてメディアデータ１１中からピンポイントシーンのクリップ３２を取り出し、これらピンポイントシーンのクリップ３２でメディアセグメントデータ３１を形成する。このメディアセグメントデータ３１はネットワークを通じてその他端末装置により共有され得る。
【００２０】
しかしながら、ピックアップ時間情報４１が含むデータタイプに応じて、第１の端末装置４０および動画シーンサーバ手段３０も実行動作が異なる。下記に説明する。
【００２１】
（１）各々の動画シーン時間情報２１がその対応するピンポイントシーンのクリップ３２の再生時間を記憶する。ピックアップ時間情報４１はメディア記録開始時間とメディア記録終了時間とを含む。
第１の端末装置４０がピックアップ時間情報４１と各々の動画シーン時間情報２１とを比較するとき、再生時間をメディア記録開始時間とメディア記録終了時間との間として記録した第１の目標シーン時間４２を取得するとともに、動画シーンサーバ手段３０がメディアセグメントデータ３１を形成するために、第１の目標シーン時間４２を動画シーンサーバ手段３０に出力する。
【００２２】
（２）動画シーンサーバ手段３０は各々の動画シーン時間情報２１の記録情報に基づいて、各々の動画シーン時間情報２１を分類し、さらに分類結果に基づいてメディアデータ１１から複数の動画シーンクリップデータ３３を分割する。
ピックアップ時間情報４１は時点データを含んでおり、第１の端末装置４０はこの時点データを含む第１の目標シーン時間４２を動画シーンサーバ手段３０に伝送する。動画シーンサーバ手段３０が時点データと各々の動画シーンクリップデータ３３の再生終了時間とを比較して、再生時間が上記時点データを含む動画シーンクリップデータ３３を取り出して、メディアセグメントデータ３１を形成する。
【００２３】
さらに、動画シーンサーバ手段３０は各々の動画シーン時間情報２１の再生内容に基づいて、各々の動画シーン時間情報２１のデータの依存関係性、またはデータ属性の種別を取得して動画シーン時間情報２１の分類を行うとともに、この分類結果に基づいて複数の動画シーンクリップデータ３３を分割する。
動画シーンサーバ手段３０は各々の動画シーン時間情報２１のデータの依存関係性、データ属性およびデータ階層の関係に基づいて、各々の動画シーンクリップデータ３３をメディア再生ツリー構造として構成する。動画シーンサーバ手段３０が第１の目標シーン時間４２を取得したとき、第１の目標シーン時間４２と動画シーン時間情報２１との比較結果に基づいて、メディア再生ツリー構造から関連する動画シーンクリップデータ３３をピックアップして、メディアセグメントデータ３１を形成する。
【００２４】
しかしながら、動画シーンクリップ、動画シーン時間情報、メディア再生ツリー構造、再生メディアなどのピックアップ結果は、動画シーンサーバ手段３０内に記憶されて、次回のメディアセグメントデータ３１の提供作業時のために使用される。
さらには、動画シーンクリップの提供作業により構成されてなるメディアセグメントデータ３１は、その他の端末装置にて共有されたのち、その再生ソフトウェア／ハードウェアで直接取得し再生するように、その他端末装置にも直接記憶される。
【００２５】
本発明の実施例におけるメディアセグメントデータを更新するときのデータの流れを示す概略図を示す図２を参照する。
このシステムでは第２の端末装置５０（Ｓｅｃｏｎｄ  Ｅｎｄ  Ｄｅｖｉｃｅ）をさらに備えている。この例において、動画シーン時間情報２１にはメディアセグメントデータ３１（またはピンポイントシーンのクリップ３２、または動画シーンクリップデータ３３）の再生内容も記憶されている。
【００２６】
第１の端末装置４０の働きと同じく、第２の端末装置５０もまたメディアデータ１１および動画シーン時間情報２１を取得できる。しかも別の使用者は第２の端末装置５０の操作インターフェイスを介して、メディアデータ１１を再生時にメディアデータ再生に対応するピックアップ時間情報５１を入力することができる。
第２の端末装置５０はこのピックアップ時間情報５１に基づいて、すべての動画シーン時間情報２１中から少なくとも一つの第２の目標シーン時間５２を取り出すとともに、これを動画シーンサーバ手段３０に出力する。この（またはこれらの）第２の目標シーン時間５２が記録する再生時間はピックアップ時間情報５１に一致する。
【００２７】
動画シーンサーバ手段３０が第２の目標シーン時間５２を取得したとき、もし第１の目標シーン時間４２および第２の目標シーン時間５２が記録するメディア再生内容が同一または同義であり、そしてメディア再生時間が相違すると判断した場合、動画シーンサーバ手段３０は第１の目標シーン時間４２および第２の目標シーン時間５２が記録するメディア再生時間に基づいて、再生補正時間を設定して、メディアデータ１１中から再生時間が再生補正時間内にある複数の調整クリップをピックアップして、メディアセグメントデータ３１を更新する。
【００２８】
このうち、再生補正時間は第１の目標シーン時間４２および第２の目標シーン時間５２が記録するメディア再生時間の長さの和集合または積集合である。
あるいは、再生補正時間の開始時間は第１の目標シーン時間４２および第２の目標シーン時間５２が記録するメディア再生時間の開始時間の平均値となり、再生補正時間の終了時間は第１の目標シーン時間４２および第２の目標シーン時間５２が記録するメディア再生時間の終了時間の平均値となる。
また、その他関連または相似する設定方式は、上記設定方式に限定されず、設計者の需要に応じて決定することができる。
【００２９】
本発明の実施例における動画シーンのクリップ構成方法の概略的なフローチャートを示す図３を参照する。
理解しやすくするために、図１ないし図２を参照されたい。この方法の手順は以下の通りである。
【００３０】
メディア提供手段１０によりメディアデータ１１を提供する（ステップＳ１１０）。上記したように、メディア提供手段１０が提供するメディアデータ１１は全体の画像、音声または画像・音声データとするか、またはリアルタイムに伝送されるストリームデータ（Ｓｔｒｅａｍ  Ｄａｔａ）とすることができる。メディアデータ１１の伝送形態には、ブロードキャスト配信、ブロードバンド配信、有線配信、インターネットプロトコルテレビジョンなど有線、無線のデータ伝送方式が含まれる。
【００３１】
メタデータサーバ手段２０によりメディアデータ１１を受け取るとともに、メディアデータ１１の再生シーンに対応する動画シーン時間情報２１を提供する（ステップＳ１２０）。
上記したように、動画シーン時間情報２１の提供方式は、（１）メタデータサーバ手段２０により直接メディアデータ１１の再生内容に基づいて動画シーン時間情報２１の構成を行う、（２）外部装置からこのメディアデータ１１の対応する動画シーン時間情報２１を取得する、というものである。
【００３２】
第１の端末装置４０によりメディアデータ１１および動画シーン時間情報２１を取得するとともに、メディアデータ１１再生時に入力されたピックアップ時間情報４１に基づいて、動画シーン時間情報２１中からピックアップ時間情報４１に対応する少なくとも一つ第１の目標シーン時間４２を取り出す（ステップＳ１３０）。
このステップにおいて、ピックアップ時間情報４１が記録したデータタイプが異なれば、第１の端末装置４０が第１の目標シーン時間４２を取得する方式もまた異なる。以下の通り説明する。
【００３３】
（１）各々の動画シーン時間情報２１がその対応する動画シーンクリップの再生時間を記憶する。ピックアップ時間情報４１はメディア記録開始時間とメディア記録終了時間とを含む。第１の端末装置４０がピックアップ時間情報４１と各々の動画シーン時間情報２１とを比較するとき、再生時間をメディア記録開始時間とメディア記録終了時間との間として記録した第１の目標シーン時間４２を取得するとともに、第１の目標シーン時間４２を動画シーンサーバ手段３０に出力する。
【００３４】
（２）動画シーンサーバ手段３０は各々の動画シーン時間情報２１の記録情報に基づいて、各々の動画シーン時間情報２１を分類し、さらに分類結果に基づいてメディアデータ１１から複数の動画シーンクリップデータ３３を分割する。ピックアップ時間情報４１は時点データを含んでおり、第１の端末装置４０はこの時点データを記録した第１の目標シーン時間４２を動画シーンサーバ手段３０に伝送する。
【００３５】
動画シーンサーバ手段３０により第１の目標シーン時間４２、メディア提供手段１０が提供するメディアデータ１１およびメタデータサーバ手段２０が提供する動画シーン時間情報２１を取得するとともに、第１の目標シーン時間４２と各々の動画シーン時間情報２１とを比較することで、比較結果に基づいてメディアデータ１１から複数のピンポイントシーンのクリップ３２を取り出して、メディアセグメントデータ３１を形成する（ステップＳ１４０）。
【００３６】
しかしながら、第１の端末装置４０が伝送する第１の目標シーン時間４２は、その記録するデータが異なれば、動画シーンサーバ手段３０もまた方法が異なる。例えば以下のとおりである。
【００３７】
（１）第１の端末装置が伝送する第１の目標シーン時間４２にて、その記録する再生時間がメディア記録開始時間とメディア記録終了時間との間にあることが、動画シーン時間情報グループ時間となる。動画シーンサーバ手段３０はこの動画シーン時間情報グループの対応するピンポイントシーンのクリップ３２を取り出すことでメディアセグメントデータ３１を形成する。
【００３８】
（２）第１の端末装置４０が伝送する第１の目標シーン時間４２にて、時点データしか記録していない場合、動画シーンサーバ手段３０は時点データと各々の動画シーンクリップデータ３３の再生終了時間とを比較して、再生時間が上記時点データを含む動画シーンクリップデータ３３を取り出して、メディアセグメントデータ３１を形成する。
【００３９】
本発明の実施例におけるメディア再生ツリー構造の構成の概略的なフローチャートを示す図４を参照する。
理解しやすくするために、図１を合わせて参照されたい。この例においては、動画シーン時間情報２１にもメディアセグメントデータ３１（またはピンポイントシーンのクリップ３２、または動画シーンクリップデータ３３）の再生内容が記録されている。この方法は以下を含む。
【００４０】
動画シーンサーバ手段３０により各々の動画シーン時間情報２１の記録情報に基づいて、各々の動画シーン時間情報２１のデータの依存関係性、またはデータ属性の種別を取得して動画シーン時間情報２１の分類を行うとともに、この分類結果に基づいて複数の動画シーンクリップデータ３３を分割する（ステップＳ２１０）。
【００４１】
動画シーンサーバ手段３０により各々の動画シーン時間情報２１のデータの依存関係性、データ属性およびデータ階層の関係に基づいて、各々の動画シーンクリップデータ３３をメディア再生ツリー構造として構成する（ステップＳ２２０）。
【００４２】
よってステップＳ１４０において、動画シーンサーバ手段３０が第１の目標シーン時間４２を取得したとき、第１の目標シーン時間４２に基づいてメディア再生ツリー構造からピンポイントシーンのクリップ３２を取り出すことで、メディアセグメントデータ３１を形成する。
【００４３】
本発明の実施例におけるメディアセグメントデータの更新方法の概略的なフローチャートを示す図５を参照する。
理解しやすくするために、図２を合わせて参照されたい。この方法は動画シーンサーバ手段３０が第１の目標シーン時間４２および第２の目標シーン時間５２を取得するものに適用するものであって、その手順には以下のステップが含まれる。
【００４４】
動画シーンサーバ手段３０が第２の目標シーン時間５２を取得したとき、第１の目標シーン時間４２および第２の目標シーン時間５２が記録するメディア再生内容が同一または同義であるか、メディア再生時間が異なるかを判断する（ステップＳ３１０）。
【００４５】
動画シーンサーバ手段３０による判断結果に基づいて、第１の目標シーン時間４２および第２の目標シーン時間５２が記録するメディア再生時間を利用して再生補正時間を設定するかどうかを決定する。そしてメディアデータ１１中から再生時間が再生補正時間内にある複数の調整クリップをピックアップして、メディアセグメントデータ３１を更新する（ステップＳ３２０）。尚、再生補正時間の設定方式は上記しているため、ここでは別途説明はしない。
【００４６】
本発明の実施例におけるメディア制御の状況概略図を示す図６ないし図８を参照する。
ここでは、メディアデータ１１をバスケットボールの試合の録画映像として説明する。
【００４７】
図６は本発明の実施例におけるメディア階層の概略図である。バスケットボールの試合の録画映像は異なる画像階層に分割することができる。
階層が最も高いものは、試合全体の録画映像であり、その次が各々のセクションの録画映像であり、その次がハイライト部分の録画映像である。画像全体は数多くの動画シーンクリップ（前述したピンポイントシーンのクリップ３２または動画シーンクリップデータ３３である）から構成され、かつ動画シーン時間情報２１に対応している。
【００４８】
図７には本発明の実施例におけるメディアセグメントデータ３１の時点比較の概略図が示されている。この例において、使用者は第１の端末装置４０を通じてメディアデータ１１を鑑賞する。使用者が特定の画像、例えば「得点ハイライト映像」を鑑賞するとき、使用者はこの「得点ハイライト映像」をマーキングする。マーキングの方式はピックアップ時間情報４１（場面の開始時間と終了時間）、マーク記号（再生する動画シーンクリップに記号を付記する）または時点付記などのいずれか一種類とすることができる。
第１の端末装置４０がマーキングされたデータに対応する第１の目標シーン時間４２を動画シーンサーバ手段３０に伝送すると、動画シーンサーバ手段３０は第１の目標シーン時間４２に対応する動画シーンクリップデータ３３を取り出して（または関連するピンポイント動画シーンのクリップを伝送する）、その他端末装置で共有するメディアセグメントデータ３１を形成する。
図７を例とすると、第１の端末装置４０がマーキングした（図７で示す円で囲んだＶマーク）クリップ情報は三番目の動画シーンクリップデータ３３（Ｐ３）となり、７秒目から１０秒目の動画シーンクリップが対応する。
【００４９】
図８には本発明の実施例におけるメディア再生ツリーの構造概略図が示されている。ここでは、図６に示す画像階層に、前述した動画シーン時間情報のデータの依存関係性、またはデータ属性の種別を合わせて、画像全体の動画シーン時間情報２１または動画シーンクリップデータ３３がメディア再生ツリー構造として構成される
【００５０】
このメディア再生ツリー構造の第１層は試合全体の録画映像である。第２層は第１層の録画画像の下位画像であり、各々のセクションの録画映像である。第３層は第２層の録画映像の下位画像であり、試合中におけるチーム双方のハイライト部分の録画映像である。第４層は第３層の下位画像であり、試合中におけるチーム双方の特定選手のハイライト部分の録画映像である。
【００５１】
しかしながら、動画シーンサーバ手段３０は上記した画像階層を考慮しなければならないということはなく、第１の目標シーン時間４２に基づいていずれかの階層の動画シーンクリップデータ３３を取得することで、上記したメディアセグメントデータを形成するものである。
【００５２】
以上は、本発明が課題を解決するために採用した技術的手段の実施方式または実施例を記載したに過ぎず、これにより本発明の特許実施の範囲を限定されることはない。本発明の特許請求の範囲の文意に合致する、または本発明の特許請求の範囲に基づいてなされる等価の変更および付加は、いずれも本発明の特許請求の範囲に含まれるものである。
【符号の説明】
【００５３】
１０  メディア提供手段
１１  メディアデータ
２０  メタデータサーバ手段
２１  動画シーン時間情報
３０  動画シーンサーバ手段
３１  メディアセグメントデータ
３２  ピンポイントシーンのクリップ
３３  動画シーンクリップデータ
４０  第１の端末装置
４１  ピックアップ時間情報
５１  ピックアップ時間情報
４２  第１の目標シーン時間
５０  第２の端末装置
５２  第２の目標シーン時間
Ｓ１１０〜Ｓ１４０、Ｓ２１０〜Ｓ２２０、Ｓ３１０〜Ｓ３２０  ステップ
【図１】
0005544030.tif 000002
【図２】
0005544030.tif 000003
【図３】
0005544030.tif 000004
【図４】
0005544030.tif 000005
【図５】
0005544030.tif 000006
【図６】
0005544030.tif 000007
【図７】
0005544030.tif 000008
【図８】
0005544030.tif 000009